(57)【要約】【課題】従来の配管用エルボカバーは、各扇形取付板１０２ａ、１０２ｂの重合した２枚の下端部１０３ａ、１０３ｂをペンチ等で折り曲げ締め付けて取付け、該套嵌着作業を建物等の配管状態が種々異なる現場で行うため、熟練と体力を要し、作業者の技量差で取付けにバラつきを生じ、手数と時間を要して極めて効率が悪く、取付け不良クレームが多発する課題があった。【解決手段】エルボ部１を配管１２のエルボ部分１５の外周に套嵌し、前面側の扇形取付板２ａ及び後面側の扇形取付板２ｂと各下端部３ａ、３ｂを管１２の周囲に巻付け、扇形取付板２ａの係合舌片４の先端４ａを、扇形取付板２ｂの掛止係合部１１下端の第１折畳部９と延長部６下端の間に挿入すると共に該先端４ａを前記第２折畳部１０の挿通孔８へ挿通し締付けて、係合舌片４の係合突起５と掛止係合部１１の係合突起７とを掛止め係合し、もって、配管１２のエルボ部分１５の外周に配管用エルボカバーＡを取付けるように備えた、配管用エルボカバーＡにより課題を解決した。【選択図】図１
2011247402.tif 000002
【特許請求の範囲】
【請求項１】
各種配管のエルボ部分に套嵌着して該部分をカバーする海老殻に類似した形状のエルボ部を設け、該エルボ部の前後面の下端縁部にそれぞれ扇形取付板の上端部を一体的に固着して設けたものである配管用エルボカバーにおいて、
前面側の扇形取付板の下端部に短冊板状の係合舌片を突出形成し、該係合舌片表面の設定寸法間に抜き起しプレス加工で複数の係合突起を平行列設する一方、
後面側の扇形取付板の下端部に前面側の扇形取付板の下端部よりも設定寸法長い延長部を形成し、該延長部表面中央部の設定寸法間に抜き起しプレス加工で複数の係合突起を平行列設すると共に最下位の係合突起の下方に挿通孔を平行形成し、
前記延長部の基部を第１折畳部として扇形取付板の内面方向へ折畳むと共に、同延長部の前記挿通孔付近を第２折畳部として前記扇形取付板の外面方向へ折畳み、その三つ折りに折畳んだものを加圧プレス加工で三重板密着状態として掛止係合部を設けて成る配管用エルボカバーであり、
該配管用エルボカバーのエルボ部を配管のエルボ部分の外周に套嵌し、前面側及び後面側の扇形取付板と各下端部を管の周囲に巻付け、係合舌片の先端を掛止係合部下端の第１折畳部と延長部下端の間に挿入すると共に該先端を前記第２折畳部の挿通孔へ挿通し締付けて、係合舌片の係合突起と掛止係合部の係合突起とを掛止め係合し、もって、配管のエルボ部分の外周に配管用エルボカバーを取付けるように備えたことを特徴とする、
配管用エルボカバー。
【発明の詳細な説明】
【技術分野】
【０００１】本発明は、建築物・構築物等の各種配管、例えば冷暖房、各種プラント設備等の各種配管で、管の周面を断熱材で被覆し該断熱材の周面に板金製の長い筒状のラッキングカバーを嵌着した各種配管において、該配管のエルボ部分（主に直角曲折部のエルボ管継手部分）に套嵌着して該部分をカバーするために用いる板金製の配管用エルボカバーに係り、
該配管用エルボカバーの套嵌着作業を熟練を要せずに極めて効率的でバラつきなく強固かつ体裁良く行えるようにしたことを特徴とする配管用エルボカバーを発明・提供するものである。
【背景技術】
【０００２】従来の板金製の配管用エルボカバーＢは、前記のような各種配管のエルボ部分に套嵌着して該部分を被覆する海老殻に類似した形状のエルボ部１０１を設け、該エルボ部１０１の前後面の端縁部にそれぞれ扇形取付板１０２ａ、１０２ｂの上端部を一体的に固着して設けたものであり、【０００３】各種配管１２の周面を断熱材１３で被覆し、該断熱材１３の周面に板金製の長い筒状のラッキングカバー１４を嵌着した各種配管１２において、配管１２のエルボ部分１５の外周に前記エルボ部１０１を套嵌したのち、該エルボ部分１５の内側で扇形取付板の狭長板状の下端部１０３ａ、１０３ｂを管の周囲に巻付けた状態で両端部を重合し、ペンチ等で折り曲げ締め付けて取付けるものである。
（図９、図１０、図１１参照）【０００４】然るところ、上記従来の配管用エルボカバーは、上記のように、各扇形取付板１０２ａ、１０２ｂの重合した２枚の下端部１０３ａ、１０３ｂをペンチ等で折り曲げ締め付けてエルボ部分１５の両方の管の周囲に強固に密着した状態に取付けるものであるが、その套嵌着作業は建物等の配管状態が種々異なる現場で、多くの場合無理な姿勢で行うため、かなりの熟練と体力が要求され、よって、作業者の技量によって取付け精度にバラつきが生じる大きな課題があり、特に、熟練作業者の確保が困難な近時において、取付け作業に手数と時間を要して極めて効率が悪い上に、取付け不良のクレームが多発する課題があった。
【先行技術文献】
【特許文献】
【０００５】
【特許文献１】特開２００１−３２４０８６号公報
【発明の概要】
【発明が解決しようとする課題】
【０００６】そこで、本発明は、配管用エルボカバーの、前面側の扇形取付板の下端部に係合突起を平行列設した係合舌片を備える一方、
後面側の扇形取付板の下端部に、延長部を三つ折りに折畳み加圧プレス加工で三重板密着状態とした掛止係合部を設け、配管用エルボカバーのエルボ部を配管のエルボ部分の外周に套嵌し、前面側及び後面側の扇形取付板と各下端部を管の周囲に巻付け、係合舌片の先端を掛止係合部下端の第１折畳部と延長部下端の間に挿入すると共に該先端を前記第２折畳部の挿通孔へ挿通し締付けて、係合舌片の係合突起と掛止係合部の係合突起とを掛止めして抜け外れない状態に係合し、もって、配管用エルボカバーを熟練不要のワンタッチで均一、強固かつ体裁好く取付けし得るように備えたことを特徴とする配管用エルボカバーを発明・提供することによって、上記従来の課題を有効に解決したものである。
【課題を解決するための手段】
【０００７】本発明は、各種配管のエルボ部分に套嵌着して該部分をカバーする海老殻に類似した形状のエルボ部を設け、該エルボ部の前後面の下端縁部にそれぞれ扇形取付板の上端部を一体的に固着して設けたものである配管用エルボカバーにおいて、【０００８】前面側の扇形取付板の下端部に短冊板状の係合舌片を突出形成し、該係合舌片表面の設定寸法間に抜き起しプレス加工で複数の係合突起を平行列設する一方、【０００９】後面側の扇形取付板の下端部に前面側の扇形取付板の下端部よりも設定寸法長い延長部を形成し、該延長部表面中央部の設定寸法間に抜き起しプレス加工で複数の係合突起を平行列設すると共に最下位の係合突起の下方に挿通孔を平行形成し、【００１０】前記延長部の基部を第１折畳部として扇形取付板の内面方向へ折畳むと共に、同延長部の前記挿通孔付近を第２折畳部として前記扇形取付板の外面方向へ折畳み、その三つ折りに折畳んだものを加圧プレス加工で三重板密着状態として掛止係合部を設けて成る配管用エルボカバーであり、【００１１】該配管用エルボカバーのエルボ部を配管のエルボ部分の外周に套嵌し、前面側及び後面側の扇形取付板と各下端部を管の周囲に巻付け、係合舌片の先端を掛止係合部下端の第１折畳部と延長部下端の間に挿入すると共に該先端を前記第２折畳部の挿通孔へ挿通し締付けて、係合舌片の係合突起と掛止係合部の係合突起とを掛止め係合し、もって、配管のエルボ部分の外周に配管用エルボカバーを取付けるように備えたことを特徴とする、配管用エルボカバーによって課題を解決したものである。
【発明による効果】
【００１２】前面側の扇形取付板の下端部に係合突起を平行列設した係合舌片を備える一方、後面側の扇形取付板の下端部に、延長部を三つ折りに折畳み加圧プレス加工で三重板密着状態とした掛止係合部を設け、配管用エルボカバーのエルボ部を配管のエルボ部分の外周に套嵌し、前面側及び後面側の扇形取付板と各下端部を管の周囲に巻付け、係合舌片の先端を掛止係合部下端の第１折畳部と延長部下端の間に挿入すると共に該先端を前記第２折畳部の挿通孔へ挿通し締付けて、係合舌片の係合突起と掛止係合部の係合突起とを掛止めして抜け外れない状態に係合するようにしたので、配管状態が種々異なる現場での套嵌着作業を作業者の熟練を要せずに、ワンタッチでバラつきなく均一に、また強固かつ体裁好く取付けし得て、配管用エルボカバーの套嵌着作業効率を革期的に向上し得る優れた特徴がある。
【００１３】各種配管の配管用エルボカバーをエルボ部分に套嵌し、前面側の扇形取付板の係合舌片の先端を掛止係合部下端の第１折畳部と延長部下端の間に挿入すると共に該先端を前記第２折畳部の挿通孔へ挿通して、両扇形取付板を後面側の扇形取付板の管の周面に強く密着するように締付けると、係合舌片の複数の係合突起と掛止係合部の複数の係合突起とが、複数段階に掛止めして、容易に抜け外れない状態に係合するようにしたので、配管用エルボカバーを極めて強固かつ安定的に套嵌着し得る優れた効果がある。
【００１４】前記のように、前面側の扇形取付板の係合突起を、後面側の扇形取付板の下端部の内面側に位置する、掛止係合部下端の第１折畳部と延長部下端の間に挿入すると共に該先端を前記第２折畳部の挿通孔へ挿通し締付けて取付けるように備えたので、配管用エルボカバーに套嵌着した状態で、表面側には掛止係合部の下端部のラインの外には全くないため、スッキリとして外観体裁が極めて優れ、また、表面側に引掛って邪魔になるものを無くし得た優れた特徴がある。
【図面の簡単な説明】
【００１５】
【図１】図１は本発明実施例配管用エルボカバーの前面図である。（実施例１）
【図２】図２は図１の後面図である。（実施例１）
【図３】図３は図１の右側面図である。（実施例１）
【図４】図４は図１の前面側の扇形取付板の下端部の係合舌片の部分を拡大した正面図、平面図、右側面図、及び、Ｘ線断面一部拡大矢視図である。（実施例１）
【図５】図５は図１の後面側の扇形取付板の下端部を拡大した正面図、平面図、右側面図、及び、Ｙ線断面一部拡大矢視図であり、前面側の扇形取付板の係合舌片の挿入位置を示す図である。（実施例１）
【図６】図６は図５の掛止係合部を展開した正面図、右側面図、三つ折りに折畳む説明図、及び、Ｗ線断面一部拡大矢視図である。（実施例１）
【図７】図７は図１の本発明実施例エルボカバーを配管のエルボ部分に套嵌着した状態の一部切断正面図である。（実施例１）
【図８】図８は図７のＺ線断面一部拡大図である。（実施例１）
【図９】図９は従来例配管用エルボカバーの前面図である。なお、後面図は前面図と対称である。（従来例）
【図１０】図１０は図９の右側面図である。（従来例）
【図１１】図１１は従来例配管用エルボカバーの扇形取付板の両下端部を重合しペンチ等で折り曲げ締め付けて取付ける説明断面図である。（従来例）
【発明を実施するための形態】
【００１６】エルボ部の前後面に扇形取付板を固着して設けた配管用エルボカバーであり、
エルボ部前面側の扇形取付板の下端部に短冊板状の係合舌片を形成し、該係合舌片面の設定寸法間に抜き起しプレス加工で複数の係合突起を平行列設する一方、
後面側の扇形取付板の下端部に前面側の扇形取付板の下端部よりも設定寸法長い延長部を形成し、該延長部表面中央部の設定寸法間に抜き起しプレス加工で複数の係合突起を平行列設すると共に最下位の係合突起の下方に挿通孔を平行形成し、前記延長部の基部を第１折畳部として扇形取付板の内面方向へ折畳むと共に、同延長部の前記挿通孔付近を第２折畳部として前記扇形取付板の外面方向へ折畳み、その三つ折りに折畳んだものを加圧プレス加工で三重板密着状態として掛止係合部を設けて成る配管用エルボカバーである。
【実施例１】
【００１７】図１は本発明実施例配管用エルボカバーの前面図、図２は図１の後面図、図３は図１の右側面図、図４は図１の前面側の扇形取付板の下端部の係合舌片の部分を拡大した正面図、平面図、右側面図、及び、Ｘ線断面一部拡大矢視図、図５は図１の後面側の扇形取付板の下端部を拡大した正面図、平面図、右側面図、及び、Ｙ線断面一部拡大矢視図、図６は図５の掛止係合部を展開した正面図、右側面図、三つ折りに折畳む説明図、及び、Ｗ線断面一部拡大矢視図、図７は図１の本発明実施例エルボカバーを配管のエルボ部分に套嵌着した状態の一部切断正面図、図８は図７のＺ線断面一部拡大図である。【００１８】Ａは本発明実施例エルボカバー、１はエルボ部、２ａは扇形取付板（前面側）、２ｂは扇形取付板（後面側）、３ａは下端部（前面側扇形取付板）、３ｂは下端部（後面側扇形取付板）、４は係合舌片、５は平行列設した係合突起（係合舌片）、６は延長部、７は係合突起（延長部・掛止係合部）、８は挿通孔、９は第１折畳部、１０は第２折畳部、１１は掛止係合部、１２は各種配管、配管、管、１３は断熱材、１４はラッキングカバー、１５はエルボ部分である。【００１９】本発明配管用エルボカバーＡは、各種配管１２のエルボ部分１５に套嵌着して該部分をカバーする海老殻に類似した形状のエルボ部１を設け、該エルボ部１の前後面の下端縁部にそれぞれ扇形取付板２ａ、２ｂの上端部を一体的に固着して設けたものである配管用エルボカバーにおいて、【００２０】エルボ部１前面側の扇形取付板２ａの下端部３ａに短冊板状の係合舌片４を形成し、該係合舌片４表面の設定寸法間に抜き起しプレス加工で複数の係合突起５を平行列設する一方、【００２１】後面側の扇形取付板２ｂの下端部３ｂに前面側の扇形取付板２ａの下端部３ａよりも設定寸法長い延長部６を形成し、該延長部６表面中央部の設定寸法間に抜き起しプレス加工で複数の係合突起７を平行列設すると共に最下位の係合突起７の下方に挿通孔８を平行形成し、【００２２】前記延長部６の基部を第１折畳部９として扇形取付板２ｂの内面方向へ折畳むと共に、同延長部６の前記挿通孔８付近を第２折畳部１０として前記扇形取付板２ｂの外面方向へ折畳み、その三つ折りに折畳んだものを加圧プレス加工で三重板密着状態として掛止係合部１１を設けて成る配管用エルボカバーＡであり、【００２３】該配管用エルボカバーＡのエルボ部１を配管１２のエルボ部分１５の外周に套嵌し、前面側及び後面側の扇形取付板２ａ、２ｂと各下端部３ａ、３ｂを管１２の周囲に巻付け、係合舌片４の先端４ａを掛止係合部１１下端の第１折畳部９と延長部６下端の間に挿入すると共に該先端４ａを前記第２折畳部１０の挿通孔８へ挿通し締付けて、係合舌片４の係合突起５と掛止係合部１１の係合突起７とを掛止め係合し、もって、配管１２のエルボ部分１５の外周に配管用エルボカバーＡを取付けるように備えたものである。
【産業上の利用可能性】
【００２４】本発明は、主として建築物・構築物等の各種配管で、管の周面を断熱材で被覆し該断熱材の周面に板金製の長い筒状のラッキングカバーを嵌着した各種配管のエルボ部分（エルボ管継手部分）に套嵌着して用いる配管用エルボカバーであり、各種配管、断熱材、ラッキングカバー等の、径の大小、寸法の長短、素材の種類等を問わず汎用し得るものである。
【符号の説明】
【００２５】Ａ    本発明実施例エルボカバー
１    エルボ部
２ａ  扇形取付板（前面側）
２ｂ  扇形取付板（後面側）
３ａ  下端部（前面側扇形取付板）
３ｂ  下端部（後面側扇形取付板）
４    係合舌片
４ａ  先端（係合舌片）
５    平行列設した係合突起（係合舌片）
６    延長部
７    係合突起（延長部・掛止係合部）
８    挿通孔
９    第１折畳部
１０  第２折畳部
１１  掛止係合部
１２  各種配管、配管、管
１３  断熱材
１４  ラッキングカバー
１５  エルボ部分
Ｂ        従来のエルボカバー
１０１    エルボ部
１０２ａ  扇形取付板（前面側）
１０２ｂ  扇形取付板（後面側）
１０３ａ  下端部（前面側扇形取付板）
１０３ｂ  下端部（後面側扇形取付板）
【図１】
2011247402.tif 000003
【図２】
2011247402.tif 000004
【図３】
2011247402.tif 000005
【図４】
2011247402.tif 000006
【図５】
2011247402.tif 000007
【図６】
2011247402.tif 000008
【図７】
2011247402.tif 000009
【図８】
2011247402.tif 000010
【図９】
2011247402.tif 000011
【図１０】
2011247402.tif 000012
【図１１】
2011247402.tif 000013